(57)【要約】【課題】Ｘ線透視撮影装置を用いる検査において、術者に負担を与えずに、患者の被爆量を部位毎に精密に管理し、過剰被爆を適確に防ぐ。【解決手段】患者の部位毎の計測可能量をリアルタイムに算出して表示する。計測可能量は透視計測の場合、透視可能時間とし、撮影計測の場合、撮影可能枚数とする。さらに、積算被爆線量も同時に表示するよう構成してもよい。このとき、積算被爆線量の表示は、予め保持する人体モデル画像上に予め割り当てたカラースケールに従って行うよう構成してもよい。【選択図】図２
2011234928.tif 000002
【特許請求の範囲】
【請求項１】
Ｘ線を照射するＸ線発生手段と、前記Ｘ線発生手段に被検体を挟んで対向配置されたＸ線検出手段と、を備えるＸ線透視撮影装置であって、
部位毎の許容被爆線量を記憶する許容被爆線量記憶手段と、
前記被検体の部位毎の計測可能量を記憶する計測可能量記憶手段と、
前記Ｘ線発生手段から照射される照射Ｘ線量を取得する照射Ｘ線量取得手段と、
所定の時間間隔で、前記照射Ｘ線量と計測対象部位に対応づけて前記許容被爆線量記憶手段に記憶される許容被爆線量とを用い、当該計測対象部位の最新の計測可能量を算出し、前記計測可能量記憶手段に記憶される計測可能量を更新する計測可能量算出手段と、
前記計測可能量記憶手段に記憶される計測可能量を部位毎に表示する表示手段と、を備えること
を特徴とするＸ線透視撮影装置。
【請求項２】
請求項１記載のＸ線透視撮影装置であって、
前記被検体の部位毎の積算被爆線量を記憶する積算被爆線量記憶手段をさらに備え、
前記計測可能量算出手段は、
前記照射Ｘ線量から得られる被爆線量を積算することにより、前記計測対象部位の積算被爆線量を算出し、当該計測対象部位に対応づけて前記積算被爆線量記憶手段に記憶される積算被爆線量を更新する積算被爆線量算出手段を備え、
前記最新の積算被爆線量を用い、前記計測対象部位の最新の計測可能量を算出すること
を特徴とするＸ線透視撮影装置。
【請求項３】
請求項２記載のＸ線透視撮影装置であって、
前記表示手段は、部位毎に、前記積算被爆線量をさらに表示し、
前記積算被爆線量は、値に応じて予め割り当てたカラースケールデータを用いて表示されること
を特徴とするＸ線透視撮影装置。
【請求項４】
請求項３記載のＸ線透視撮影装置であって、
前記表示手段は、予め保持する人体モデル画像上に前記部位毎の積算被爆線量を表示すること
を特徴とするＸ線透視撮影装置。
【請求項５】
請求項１から４いずれか１項記載のＸ線透視撮影装置であって、
前記Ｘ線検出手段から読み出された電気信号に画像処理を行い透視画像または撮影画像のいずれかのＸ線画像を生成する画像処理手段と、
前記画像処理手段が前記Ｘ線画像を生成したタイミングの前記計測可能量を当該Ｘ線画像に対応づけて記憶する画像情報記憶手段と、をさらに備え、
前記計測可能量算出手段は、前記Ｘ線画像を生成する毎に前記計測可能量を更新すること
を特徴とするＸ線透視撮影装置。
【請求項６】
請求項１から５いずれか１項記載のＸ線透視撮影装置であって、
前記照射Ｘ線量取得手段は、線量計であること
を特徴とするＸ線透視撮影装置。
【請求項７】
請求項１から５いずれか１項記載のＸ線透視撮影装置であって、
前記照射Ｘ線量取得手段は、予め定めた換算式により設定されたＸ線照射条件から前記照射Ｘ線量を算出すること
を特徴とするＸ線透視撮影装置。
【請求項８】
請求項１から７いずれか１項記載のＸ線透視撮影装置であって、
前記Ｘ線画像は透視画像であって、
前記計測可能量は透視可能時間であること
を特徴とするＸ線透視撮影装置。
【請求項９】
請求項１から７いずれか１項記載のＸ線透視撮影装置であって、
前記Ｘ線画像は撮影画像であって、
前記計測可能量算出手段は、前記撮影画像を取得する毎に、当該撮影画像を取得する撮影条件下での撮影可能枚数を前記計測可能量として算出すること
を特徴とするＸ線透視撮影装置。
【発明の詳細な説明】
【技術分野】
【０００１】
本発明は、Ｘ線により被検体の透視または撮影といった計測を行うＸ線透視撮影技術に関し、特に、被検体のＸ線被爆量管理技術に関する。
【背景技術】
【０００２】
近年、手術室への搬入が可能な移動型Ｘ線撮影装置が開発され、被検体である患者のＸ線計測を、場所を問わず簡便に行うことができるようになっている。手術は、Ｘ線を連続的に照射しながら画像も連続的に取得するＸ線透視下で行われることが多く、過剰被爆を防止するために、その間の被検体のＸ線被爆量の管理は重要である。特に、ＩＶＲ（Ｉｎｔｅｒｖｅｎｔｉｏｎａｌ  Ｒａｄｉｏｌｏｇｙ）などでは、長時間に渡ってＸ線透視が行われるため、正確に被爆線量管理を管理することが求められている。被爆線量の管理には、例えば、Ｘ線の照射条件から積算被爆線量を算出し、表示するといった手法がとられている（例えば、特許文献１参照。）。
【０００３】
しかし、単に積算被爆線量だけを表示しても、過剰被爆を防止することはできない。これを改善するため、部位毎の被爆線量をモニタし、被検体全体に対する最大照射限度量と同時に表示するものもある（例えば、特許文献２参照。）。手術など、Ｘ線透視下での治療中は、術者は治療をしながら多数の情報を把握する必要がある。従って、提示される情報はわかりやすいほどよいため、特許文献２の手法によれば、許容被爆線量を直感的に把握することができる。
【先行技術文献】
【特許文献】
【０００４】
【特許文献１】特開２００８−１８２８１号公報
【特許文献２】特開平７−２０４１９６号公報
【発明の概要】
【発明が解決しようとする課題】
【０００５】
特許文献２の手法は、対象装置がＸ線ＣＴ装置であるため、部位毎といっても、被検体の体軸方向一方向の位置による照射状況しか表示されず、寝台上に載置され２次元的に部位毎の照射量が変わるＸ線透視撮影装置の被爆量管理としては、情報が十分でない。また、許容被爆線量は部位毎に異なる。特許文献２の手法では、この違いは考慮されていないため、計測部位によっては、実際には被爆線量に余裕がある場合であっても、術者がそれを把握できずに計測が中止されることとなる。従って、無駄な時間、手間が発生している。
【０００６】
本発明は、上記事情に鑑みてなされたもので、Ｘ線透視撮影装置を用いる検査において、術者に負担を与えずに、患者の被爆量を部位毎に精密に管理でき、過剰被爆を適確に防ぐ技術を提供することを目的とする。
【課題を解決するための手段】
【０００７】
本発明は、患者の部位毎の被爆線量をモニタし、計測可能量をリアルタイムに算出して表示する。計測可能量は透視計測の場合、透視可能時間とし、撮影計測の場合、撮影可能枚数とする。さらに、積算被爆線量も同時に表示するよう構成してもよい。このとき、積算被爆線量の表示は、予め保持する人体モデル画像上に予め割り当てたカラースケールに従って行うよう構成してもよい。
【０００８】
具体的には、Ｘ線を照射するＸ線発生手段と、前記Ｘ線発生手段に被検体を挟んで対向配置されたＸ線検出手段と、を備えるＸ線透視撮影装置であって、部位毎の許容被爆線量を記憶する許容被爆線量記憶手段と、前記被検体の部位毎の計測可能量を記憶する計測可能量記憶手段と、前記Ｘ線発生手段から照射される照射Ｘ線量を取得する照射Ｘ線量取得手段と、所定の時間間隔で、前記照射Ｘ線量と計測対象部位に対応づけて前記許容被爆線量記憶手段に記憶される許容被爆線量とを用い、当該計測対象部位の最新の計測可能量を算出し、前記計測可能量記憶手段に記憶される計測可能量を更新する計測可能量算出手段と、前記計測可能量記憶手段に記憶される計測可能量を部位毎に表示する表示手段と、を備えることを特徴とするＸ線透視撮影装置を提供する。
【発明の効果】
【０００９】
本発明によれば、Ｘ線透視撮影装置を用いる検査において、術者に負担を与えずに、患者の被爆量を部位毎に精密に管理でき、過剰被爆を適確に防ぐことができる。
【図面の簡単な説明】
【００１０】
【図１】第一の実施形態のＸ線透視撮影装置の概略構成を説明するためのブロック図である。
【図２】第一の実施形態の制御装置の機能ブロック図である。
【図３】第一の実施形態の部位別積算被爆線量記憶部に記憶される情報を説明するための説明図である。
【図４】第一の実施形態の部位別透視可能時間記憶部に記憶される情報を説明するための説明図である。
【図５】第一の実施形態の透視可能時間算出処理のフローチャートである。
【図６】第二の実施形態の制御装置の機能ブロック図である。
【図７】第二の実施形態の透視可能時間算出処理のフローチャートである。
【図８】第三の実施形態の制御装置の機能ブロック図である。
【図９】（ａ）および（ｂ）は、それぞれ、第三の実施形態の人体モデル画像を用いたカラースケール表示の一例を説明するための説明図であり、（ｃ）は、表示画面全体を説明するための説明図である。
【図１０】第三の実施形態の透視可能時間算出処理のフローチャートである。
【図１１】第四の実施形態の画像記憶部に記憶される情報を説明するための説明図である。
【図１２】第五の実施形態の制御装置の機能ブロック図である。
【図１３】第五の実施形態の撮影可能枚数算出処理のフローチャートである。
【発明を実施するための形態】
【００１１】
＜＜第一の実施形態＞＞
以下、本発明を適用する第一の実施形態について説明する。本実施形態では、Ｘ線を連続的に照射しながら連続的に画像を取得する透視計測において、リアルタイムに透視可能時間を操作者に提示する。以下、本発明について図面を用いて説明する。以下、本発明の実施形態を説明するための全図において、同一機能を有するものは基本的に同一符号を付し、その繰り返しの説明は省略する。
【００１２】
図１は、本実施形態のＸ線透視撮影装置１００の概略構成を説明するためのブロック図である。Ｘ線透視撮影装置１００は、被検体にＸ線を照射するＸ線源１１０と、被検体を挟んでＸ線源に対向する位置に配置され、被検体を透過したＸ線を検出しＸ線信号として出力するＸ線検出器１２０と、Ｘ線源１１０が照射したＸ線量をリアルタイムで計測し出力する線量計１３０と、Ｘ線透視撮影装置１００全体の動作を制御するとともに、受信する各種信号の処理を行う制御装置１４０と、制御装置１４０の処理結果を表示等出力する出力装置１５０と、制御装置１４０に対する各種の指示の入力を受け付ける入力装置１６０とを備える。入力装置１６０を介して受け付ける情報には、計測条件として、例えば、Ｘ線管電圧（ｋＶ）、管電流（ｍＡ）、曝射量（ｍＡｓ）、および曝射時間（ｍｓｅｃ）、といった照射条件、患者（被検体）の性別および年齢といった患者情報、撮影部位などがある。
【００１３】
線量計１３０は、例えば、透明な並行平板式電離箱で構成される面積線量計を用いる。面積線量計は、Ｘ線源１１０近傍に配置され、照射野内の総線量を面積線量として出力するもので、この面積線量を算出するにあたり、Ｘ線源１１０からの照射Ｘ線量ＲＤ（Ｇｙ）を計測する。本実施形態では、照射Ｘ線量ＲＤ（Ｇｙ）を線量計１３０からの出力として用いる。なお、照射Ｘ線量ＲＤ（Ｇｙ）は、連続的に出力される。
【００１４】
例えば、Ｘ線透視撮影装置１００が移動型Ｘ線撮影装置の場合、制御装置１４０、表示装置１５０、入力装置１６０は、Ｘ線透視撮影装置１００を自在に移動させるための車輪を備える台車上の本体部に配置され、Ｘ線源１１０とＸ線検出器１２０と線量計１３０とは、被検体に対して任意の角度でＸ線を照射可能とする支持部を介して制御装置１４０に接続される。本体部には、各部に電力供給を行う電源も備えられる。
【００１５】
制御装置１４０は、図２に示すように、Ｘ線透視撮影装置１００全体の動作を制御する動作制御部４１０と、Ｘ線検出器１２０の出力であるＸ線信号からＸ線画像を生成する画像処理部４２０と、生成した画像を記憶する画像記憶部６４０と、を備える。
【００１６】
また、本実施形態では、制御装置１４０は、さらに、線量計１３０の出力である照射Ｘ線量ＲＤから、透視対象部位の被爆線量ＥＲを算出する被爆線量算出部４３０と、透視対象部位の積算被爆線量ＳｕｍＥＲを算出する積算被爆線量算出部４４０と、部位毎の透視可能時間を算出する透視可能時間算出部４５０と、算出した透視可能時間等を表示装置１５０に表示する表示処理部４６０と、部位毎の許容被爆線量を予め記憶する部位別許容被爆線量記憶部６１０と、各被検体の積算被爆線量ＳｕｍＥＲを部位毎に記憶する部位別積算被爆線量記憶部６２０と、各被検体の透視可能時間を部位毎に記憶する部位別透視可能時間記憶部６３０と、をさらに備える。
【００１７】
制御装置１４０は、ＣＰＵとメモリと記憶装置とを備え、上記各機能は、記憶装置に予め保持されるプログラムを、ＣＰＵがメモリにロードして実行することにより実現する。また、各記憶部は、制御装置１４０の記憶装置上に構成される。また、記憶装置には、操作者から入力される各種の処理に必要なデータ、処理中に発生する一時データなどが記憶される。
【００１８】
動作制御部４１０は、前述のように、Ｘ線透視撮影装置１００全体の動作を制御する。例えば、Ｘ線透視撮影装置１００が起動されると、操作画面を表示装置１５０に表示し、入力装置１６０を用い、操作画面を介して入力された照射条件に従って、Ｘ線源１１０からＸ線を照射する。
【００１９】
操作画面は、患者情報、Ｘ線照射部位等の計測条件を入力する領域、Ｘ線の照射開始の指示を受け付ける領域、Ｘ線照射終了の指示を受け付ける領域、検査の開始および終了の指示を受け付ける領域、Ｘ線透視撮影装置１００全体の起動/停止の指示を受け付ける領域、を備える。患者情報は、被検体を特定する情報であり、患者名、患者に予め付与されるＩＤなどである。
【００２０】
被爆線量算出部４３０は、所定の時間間隔Δｔ毎に線量計１３０が出力する照射Ｘ線量ＲＤから透視対象部位の被爆線量ＥＲ（ｍＧｙ）を算出する。例えば、時刻ｔにおける被爆線量値ＥＲ（ｔ）は、時刻ｔにおける照射Ｘ線量をＲＤ（ｔ）とすると、放射線荷重係数ＷＲおよび組織荷重係数ＷＴを用い、以下の式（１）で算出される。
ＥＲ（ｔ）＝ＷＲ×ＷＴ×ＲＤ（ｔ）      （１）
なお、放射線荷重係数ＷＲは、放射線の線質に応じた、被検体に与える障害の大きさを示す係数であり、予め制御装置１４０の記憶装置に保持される。また、組織荷重係数ＷＴは、身体を構成する器官または組織の放射性感受性を示す係数であり、患者情報で特定される部位毎に、予め制御部１４０の記憶装置に保持される。また、算出した被爆線量ＥＲは、計測条件で入力された計測対象部位に対応づけて記憶装置に保持される。
【００２１】
積算被爆線量算出部４４０は、各患者について、検査部位毎に、積算被爆線量ＳｕｍＥＲ（ｍＧｙ）を算出する。積算被爆線量ＳｕｍＥＲは、被爆線量算出部４３０が被爆線量ＥＲを算出する毎に算出する。なお、Δｔには、例えば、１フレーム分のＸ線透視像を取得する時間間隔を用いる。
【００２２】
時刻ｔにおける積算被爆線量ＳｕｍＥＲ（ｔ）は、時刻（ｔ−Δｔ）における積算被爆線量ＳｕｍＥＲ（ｔ−Δｔ）に時刻ｔにおける被爆線量ＥＲ（ｔ）を加算することにより得る。ここで、計測開始時刻をｔ０とし、その後、Δｔ毎の各時刻をｔ１、ｔ２、ｔ３、・・・ｔｎとすると、時刻ｔｎにおける積算被爆線量ＳｕｍＥＲ（ｔｎ）は、以下の式（２）で計算される。
ＳｕｍＥＲ（ｔｎ）＝ＳｕｍＥＲ（ｔｎ−１）＋ＥＲ（ｔｎ）×Δｔ    （２）
算出した部位別積算被爆線量ＳｕｍＥＲ（ｔｎ）は、計測部位に対応づけて、被検体（患者)毎に部位別積算被爆線量記憶部６２０に管理する。このとき、同一被検体の同計測部位の積算被爆線量ＳｕｍＥＲが記憶されている場合、更新し、最新の積算被爆線量ＳｕｍＥＲのみ記憶するよう構成してもよいし、それぞれを算出時刻ｔｎに対応付けて記憶するよう構成してもよい。
【００２３】
なお、このとき、積算被爆線量の初期値ＳｕｍＲＤ（ｔ０）には０を用いる。ただし、部位別積算被爆線量記憶部６２０に、同一被検体の同一計測部位の過去の被爆線量が格納されている場合、その中の最新のＳｕｍＲＤ（ｔ）を用いる。また、同一被検体の、被爆線量を管理すべき期間を超えた積算被爆線量ＳｕｍＥＲは、部位別積算被爆線量記憶部６２０から削除される。被爆線量を管理すべき期間は、例えば、１日、１検査期間などである。
【００２４】
図３は、本実施形態の部位別積算被爆線量記憶部６２０に記憶されるデータ６２０ａを説明するための図である。本図に示すように、本実施形態の部位別積算被爆線量記憶部６２０には、部位６２１毎に、最新の積算被爆線量ＳｕｍＲＤ６２２が記憶される。なお、管理のため、算出時刻ｔｎ６２３も合わせて記憶される。このデータ６２０ａは、被検体毎に作成される。
【００２５】
透視可能時間算出部４５０は、積算被爆線量算出部４４０が積算被爆線量ＳｕｍＥＲ（ｔｎ）を計算する毎に、透視可能時間ＲＴ（ｔｎ）を算出する。時刻ｔｎにおける透視可能時間ＲＴ（ｔｎ）は、被爆線量ＳｕｍＥＲ（ｔｎ）および積算被爆線量ＳｕｍＥＲ（ｔｎ）と、部位別許容被爆線量記憶部６１０に記憶される当該部位の許容被爆線量ＭＰＯを用い、以下の式（３）で算出される。
ＲＴ（ｔｎ）＝（ＭＰＯ−ＳｕｍＥＲ（ｔｎ））×Δｔ／ＥＲ（ｔｎ）      （３）
【００２６】
算出された透視可能時間ＲＴ（ｔｎ）は、計測部位に対応づけて部位別透視可能時間記憶部６３０に記憶する。このとき、同一被検体の同計測部位の透視可能時間ＲＴが記憶されている場合、更新し、最新の透視可能時間ＲＴのみ記憶するよう構成してもよいし、それぞれを算出時刻ｔｎに対応付けて記憶するよう構成してもよい。
【００２７】
図４は、本実施形態の部位別透視可能時間記憶部６３０に記憶されるデータ６３０ａを説明するための図である。本図に示すように、本実施形態の部位別透視可能時間記憶部６３０には、部位６３１毎に、最新の透視可能時間ＲＴ６３２が記憶される。このデータ６３０ａは、被検体毎に作成される。
【００２８】
表示処理部４６０は、透視可能時間算出部４５０が部位別透視可能時間記憶部６３０を更新する毎に、当該部位別透視可能時間記憶部６３０に記憶される、計測対象被検体のデータ６３０ａの全項目を表示装置１５０に表示する。すなわち、計測対象被検体の全部位の部位別透視可能時間ＲＴ（ｔｎ）を表示装置１５０に表示する。表示は、部位名に対応づけて透視可能時間を数値表示する、部位名に対応付けて透視可能時間を棒グラフで表示する、など特に限定されない。なお、このとき、積算被爆線量ＳｕｍＥＲ（ｔｎ）も同時に表示してもよい。さらに、被爆線量ＥＲ（ｔｎ）も表示するよう構成してもよい。
【００２９】
次に、本実施形態のＸ線透視撮影装置１００を用いた検査時における、透視可能時間算出処理の手順を以下に説明する。ここでは、１回の検査で1以上の計測部位の透視画像を取得する場合を例にあげて説明する。すなわち、計測部位が変更される毎に、当該計測部位の透視可能時間を所定の時間間隔で更新し、その間、計測部位以外の部位の透視可能時間は、部位別透視可能時間記憶部６３０にそのまま保持する。
【００３０】
図５は、本実施形態の透視可能時間算出処理のフローチャートである。以下の処理は、操作者が入力装置１６０を介してＸ線透視撮影装置１００を起動させたことを契機に開始する。
【００３１】
動作制御部４１０は、表示装置１５０に操作画面を表示し、操作画面を介して、被検体を特定する情報（患者情報）および計測部位の入力を受け付ける（ステップＳ１１０１）。そして、動作制御部４１０は、受け付けた患者情報、計測部位に従って、透視可能時間算出に必要な各種の情報を読み出す（ステップＳ１１０２）。ここでは、予め保持する放射線荷重係数ＷＲと、計測部位に対応する組織荷重係数ＷＴと、計測部位の許容被爆線量ＭＰＯである。許容被爆線量ＭＰＯは、部位別許容被爆線量記憶部６１０から読み出す。さらに、部位別積算被爆線量記憶部６２０から、当該患者の当該計測部位に対応づけて保持される積算被爆線量があれば、読み出し、積算被爆線量の初期値ＳｕｍＥＲ（ｔ０）とする。
【００３２】
Ｘ線照射開始の指示を受け付けると（ステップＳ１１０３）、動作制御部４１０は、指示開始、または、先の照射Ｘ線量算出から所定のタイミングΔｔ経過を待つ（ステップＳ１１０４）。所定のタイミングΔｔ経過後、当該時刻ｔにおける線量計１３０の出力である照射Ｘ線量ＲＤ（ｔ）を取得する(ステップＳ１１０５）。
【００３３】
次に、動作制御部４１０は、被爆線量算出部４３０に、照射線量ＲＤ（ｔ）と、放射線荷重係数ＷＲと組織荷重係数ＷＴとを用い、Δｔ経過後の時刻ｔにおける被爆線量ＥＲ（ｔ）を算出させる（ステップＳ１１０６）。
【００３４】
次に、動作制御部４１０は、積算被爆線量算出部４４０に積算被爆線量ＳｕｍＥＲ（ｔ）を算出させ、部位別積算被爆線量記憶部６２０を更新させる（ステップＳ１１０７）。ここでは、積算被爆線量算出部４４０は、当該計測対象部位６２１に対応づけて当該被検体の部位別積算被爆線量記憶部６２０に記憶される最新の積算被爆線量ＳｕｍＥＲ６２２と、ステップＳ１１０６で算出した被爆線量ＥＲ（ｔ）とを用い、積算被爆線量ＳｕｍＥＲ（ｔ）を算出する。そして、得られた積算被爆線量ＳｕｍＥＲ（ｔ）で積算被爆線量６２２を置き換える。
【００３５】
そして、動作制御部４１０は、透視可能時間算出部４５０に、時刻ｔにおける透視可能時間ＲＴ（ｔ）を算出させ、部位別透視可能時間記憶部６３０を更新させる（ステップＳ１１０８）。ここでは、透視可能時間算出部４５０は、ステップＳ１１０７で算出した被爆線量ＥＲ（ｔ）と、ステップＳ１１０７で算出した積算被爆線量ＳｕｍＥＲ（ｔ）と、ステップＳ１１０３で読み出した、計測対象部位の許容被爆線量ＭＰＯを用い、透視可能時間ＲＴ（ｔ）を算出する。
【００３６】
そして、動作制御部４１０は、部位別透視可能時間記憶部６３０から計測対象患者の各計測部位６３１の最新の透視可能時間ＲＴ６３２を読み出し、時刻ｔにおける部位毎の透視可能時間として表示処理部４６０に部位に対応付けて表示装置に表示させる（ステップＳ１１０９）。
【００３７】
動作制御部４１０は、操作画面を介して、Ｘ線照射終了（ＯＦＦ）の入力があるか否かを判別し（ステップＳ１１１０）、Ｘ線照射終了の入力がない場合は、ステップＳ１１０４へ移行する。一方、Ｘ線照射終了の入力がある場合は、Ｘ線の照射を停止するとともに、操作画面を介して、計測部位の変更、すなわち、新たな計測部位の入力の有無を判別する（ステップＳ１１１１）。新たな照射部位が入力された場合、ステップＳ１１０２へ移行する。
【００３８】
一方、ステップＳ１１１１において、所定の期間、照射部位の変更の入力がない場合、または、操作画面を介して検査終了の指示を受け付けた場合（ステップＳ１１１２）、Ｘ線透視撮影装置１００を停止させる。
【００３９】
なお、動作制御部４１０は、上記透視可能時間算出処理とは独立に、上記ステップＳ１１０３において、Ｘ線照射開始の指示を受け付けた後、Ｘ線検出器１２０が１フレーム分のＸ線を検出する毎に、画像処理部４２０に透視画像を生成させ、表示装置１５０に表示させる。
【００４０】
また、動作制御部４１０は、例えば、最終被爆から１日以上経過するなど、被爆線量を積算すべき期間が経過した場合、または、操作者から指示を受けた場合、当該被検体の積算被爆線量記憶部６２０の各部位の積算被爆線量を０とする。
【００４１】
以上説明したように、本実施形態によれば、被検体の部位毎の透視可能時間をリアルタイムに算出して表示する。従って、操作者は、直感的に、その時点の透視可能時間を部位毎に正確に把握できる。従って、患者の過剰被爆を適確に防止できる。
【００４２】
なお、表示する部位毎の透視可能時間は、透視画像とともに表示装置１５０に表示するよう構成してもよい。また、ステップＳ１１０９において、透視可能時間とともに被爆線量、積算被爆線量を表示するよう構成してもよい。さらに、透視可能時間を表示するか否かを操作者が選択可能なように構成してもよい。
【００４３】
＜＜第二の実施形態＞＞
次に、本発明を適用する第二の実施形態を説明する。本実施形態も第一の実施形態同様、透視計測において、リアルタイムに透視可能時間を操作者に提示する。ただし、第一の実施形態では、線量計を用い、照射Ｘ線量を実測するが、本実施形態では、線量計を用いず、Ｘ線の照射条件から照射Ｘ線量を算出する。以下、本実施形態について、第一の実施形態と異なる構成に主眼をおいて説明する。
【００４４】
本実施形態のＸ線透視撮影装置１００は、基本的に第一の実施形態のＸ線透視撮影装置１００と同様の構成を有する。ただし、本実施形態では、線量計１３０の出力を用いないため、線量計１３０は、備えなくてもよい。
【００４５】
図６は、本実施形態の制御装置１４０−２の機能ブロック図である。本図に示すように、本実施形態の制御装置１４０−２は、第一の実施形態の各機能に加え、照射条件から照射Ｘ線量ＲＤを算出する照射Ｘ線量算出部４７０を備える。照射Ｘ線量算出部４７０も、他の機能同様、ＣＰＵがプログラムを実行することにより実現される。
【００４６】
照射Ｘ線量算出部４７０は、操作画面を介して入力された照射条件を用いて単位時間当たりの照射Ｘ線量ＲＤＵを算出する。算出は、例えば、周知の表面線量簡易換算法（Ｎｏｎ  Ｄｏｓｉｍｅｔｅｒ  Ｄｏｓｉｍｅｔｒｙ：ＮＤＤ法）等の、表面線量換算式を用いて行う。例えば、ＮＤＤ法の表面線量換算式は、（管電圧×管電流×照射時間）／ＦＳＤ２で表される。ここで、ＦＳＤは、管球焦点から患者皮膚表面までの距離である、いわゆる焦点−皮膚間距離である。ＦＳＤは、管球焦点からＸ線検出器１２０までの距離から推定したり、超音波またはレーザ等による計測などで得る。また、単位時間当たりの照射Ｘ線量ＲＤＵは、照射時間を１として算出する。
【００４７】
また、本実施形態の被爆線量算出部４３０は、照射Ｘ線量算出部４７０が算出した単位時間当たりの照射Ｘ線量ＲＤＵを用い、単位時間当たりの被爆線量ＥＲＵを算出する。単位時間当たりの被爆線量ＥＲＵは、上記式（１）において、ＲＤ（ｔ）の代わりにＲＤＵを用いることにより算出する。
【００４８】
また、本実施形態の積算被爆線量算出部４４０は、時刻ｔｎにおける積算被爆線量ＳｕｍＥＲ（ｔｎ）を、上記式（２）において、ＥＲ（ｔｎ）の代わりにＥＲＵを用いることにより算出する。
【００４９】
本実施形態のＸ線透視撮影装置１００を用いた検査時における、透視可能時間算出処理の手順を以下に説明する。ここでは、第一の実施形態同様、１回の検査で１以上の部位の透視画像を取得する場合を例にあげて説明する。図７は、本実施形態の透視可能時間算出処理のフローチャートである。以下の処理は、操作者が入力装置１６０を介してＸ線撮影装置１００を起動させたことを契機に開始する。
【００５０】
動作制御部４１０は、表示装置１５０に操作画面を表示し、操作画面を介して、必要な情報の入力を受け付ける（ステップＳ１２０１）。ここでは、第一の実施形態で受け付ける患者情報および計測部位に加え、照射条件の入力を受け付ける。そして、動作制御部４１０は、第一の実施形態と同様に、許容被爆線量算出処理に必要な各種の情報を読み出す（ステップＳ１２０２）。
【００５１】
次に、動作制御部４１０は、照射Ｘ線量算出部４７０に、単位時間当たりの照射Ｘ線量ＲＤＵを算出させる（ステップＳ１２０３）、そして、動作制御部４１０は、被爆線量算出部４３０に、単位時間当たりの被爆線量ＥＲＵを算出させ、保持する（ステップＳ１２０４）。
【００５２】
Ｘ線照射開始の指示を受け付けると（ステップＳ１２０５）、動作制御部４１０は、所定のタイミングΔｔ経過を待つ（ステップＳ１２０６）。所定のタイミングΔｔが経過すると、動作制御部４１０は、積算被爆線量算出部４４０に、Δｔ経過後の時刻ｔにおける積算被爆線量ＳｕｍＥＲ（ｔ）を算出させる（ステップＳ１２０７）。
【００５３】
そして、動作制御部４１０は、第一の実施形態同様、透視可能時間算出部４５０に時刻ｔにおける視可能時間ＲＴ（ｔ）を算出させ、部位別透視可能時間記憶部６３０を更新させ（ステップＳ１２０８）、表示処理部４６０に、時刻ｔにおける部位毎の透視可能時間ＲＴを表示させる（ステップＳ１２０９）。そして、第一の実施形態のステップＳ１１１０〜Ｓ１１１２同様の処理を行う（ステップＳ１２１０〜１２１２）。
【００５４】
以上説明したように、本実施形態によれば、線量計１３０無しに、線量計１３０を有するＸ線撮影装置同様、部位毎の被爆線量情報をモニタリングすることができる。従って、簡易な構成で、第一の実施形態と同様の効果を得ることができる。
【００５５】
なお、本実施形態においても、第一の実施形態同様、Δｔ経過毎に単位時間当たりの照射Ｘ線量、被爆線量を算出するよう構成してもよい。
【００５６】
また、本実施形態においても、第一の実施形態同様、透視可能時間を、透視画像とともに表示装置１５０に表示するよう構成してもよい。また、上述のように、被爆線量、積算被爆線量といった情報とともに表示するよう構成してもよい。さらに、透視可能時間を表示するか否かを操作者が選択可能なように構成してもよい。
【００５７】
＜＜第三の実施形態＞＞
次に、本発明を適用する第三の実施形態について説明する。本実施形態では、部位毎の透視可能時間に加え、算出した部位毎の積算被爆線量を人体モデル画像上に色付けすることにより表示する。以下、本実施形態について、上記各実施形態、一例として第一の実施形態と異なる点に主眼をおいて説明する。
【００５８】
本実施形態のＸ線撮影装置１００の構成は、基本的に上記第一の実施形態の構成と同様である。ただし、本実施形態の制御装置１４０−３は、図８に示すように、マッピング画像生成部４８０をさらに備える。
【００５９】
本実施形態のマッピング画像生成部４８０は、患者（被検体）を模した平面人体モデル画像データから、検査部位に応じた平面人体モデル画像を生成し、生成した平面人体モデル画像上に部位毎の積算被爆線量ＳｕｍＥＲをマッピングしたマッピング画像を生成する（カラースケール表示画像）を生成する。部位毎の積算被爆線量ＳｕｍＥＲには、その時点で部位別積算被爆線量記憶部６２０に記憶される最新の各部位の積算被爆線量ＳｕｍＥＲを用いる。各積算被爆線量ＳｕｍＥＲは、積算被爆線量の値に応じて予め割り当てられた色で表示されるよう設定する。カラースケール表示画像に用いる色は、ユーザが任意に設定可能とする。また、平面人体モデル画像データとして、正面、背面、左側面、右側面などの画像データが予め保持され、計測部位に応じ、これらの中から最適なものが選択される。カラースケール表示として、平面人体モデル画像７１０上に、各積算被爆線量をマッピングした例を図９（ａ）および（ｂ）に示す。（ａ）は、正面図を用いた例であり、（ｂ）は右側面図を用いた例である。
【００６０】
図９（ｃ）に、本実施形態のマッピング画像生成部４８０が生成したカラースケール表示を表示する表示画面５００の一例を示す。表示装置１５０に表示されるこの表示画面５００は、カラースケール表示画像を表示するカラースケール表示領域５３０と部位毎の透視可能時間を表示する透視可能時間表示領域５４０と、を備える。カラースケール表示領域５３０には、操作者が選択した平面人体モデル画像７１０が、部位毎に、積算被爆線量に応じた色に色分けされて表示される。
【００６１】
なお、表示画面５００は、本図に示すように、例えば、リアルタイムに取得した透視画像を表示するＸ線透視画像表示領域５１０と、患者情報、検査情報等の設定した情報である設定情報を表示する設定情報表示領域５２０と、をさらに備えていてもよい。
【００６２】
また、マッピング画像生成部４８０は、制御装置１４０の他の機能同様、記憶装置に予め保持されるプログラムをＣＰＵがメモリにロードして実行することにより実現する。また、平面人体モデル画像データは、記憶装置に保持される。
【００６３】
次に、本実施形態のＸ線透視撮影装置１００を用いた検査時における、透視可能時間算出処理の手順を以下に説明する。第一の実施形態同様、線量計１３０により照射Ｘ線を取得する場合を例にあげて説明する。図１０は、本実施形態の透視可能時間算出処理の処理フローである。以下の処理は、上記各実施形態同様、操作者が入力装置１６０を介してＸ線透視撮影装置１００を起動させたことを契機に開始する。
【００６４】
動作制御部４１０は、表示装置１５０に操作画面を表示し、第一の実施形態同様、操作画面を介して、被検体を特定する情報（患者情報）および計測部位の入力を受け付ける（ステップＳ１３０１）。そして、動作制御部４１０は、受け付けた患者情報、計測部位に従って、透視可能時間算出に必要な各種の情報を読み出す（ステップＳ１３０２）。なお、ここで、計測部位に応じて、使用する平面人体モデル画像データの選択を受け付けるよう構成してもよいし、計測部位に応じて、予め使用するデータを決定しておいてもよい。
【００６５】
Ｘ線照射開始の指示を受け付けると（ステップＳ１３０３）、動作制御部４１０は、第一の実施形態同様、所定のタイミングΔｔ経過を待つ（ステップＳ１３０４）。所定のタイミングΔｔ経過後、当該時刻ｔにおける線量計１３０の出力である照射線量ＲＤ（ｔ）を取得する(ステップＳ１３０５）。
【００６６】
次に、動作制御部４１０は、被爆線量算出部４３０に、照射線量ＲＤ（ｔ）と、放射線荷重係数ＷＲと組織荷重係数ＷＴとを用い、Δｔ経過後の時刻ｔにおける被爆線量ＥＲ（ｔ）を算出させる（ステップＳ１３０６）。
【００６７】
次に、動作制御部４１０は、第一の実施形態同様、積算被爆線量算出部４４０に積算被爆線量ＳｕｍＥＲ（ｔ）を算出させ、部位別積算被爆線量記憶部６２０を更新させる（ステップＳ１３０７）。
【００６８】
動作制御部４１０は、第一の実施形態同様、透視可能時間算出部４５０に、時刻ｔにおける透視可能時間ＲＴ（ｔ）を算出させ、部位別透視可能時間記憶部６３０を更新させる（ステップＳ１３０８）。
【００６９】
そして、動作制御部４１０は、マッピング画像生成部４８０にカラースケール表示画像を生成させ（ステップＳ１３０９）、部位別透視可能時間記憶部６３０から読み出した時刻ｔにおける部位毎の透視可能時間とともに、表示処理部４６０に表示装置１５０に表示させる（ステップＳ１３１０）。なお、カラースケール表示画像の生成は、積算被爆線量算出後、表示までの間であれば、どのタイミングであってもよい。
【００７０】
以後、動作制御部４１０は、第一の実施形態同様、上記ステップＳ１１１０からＳ１１１２の処理を行い、透視可能時間算出処理を終了する（ステップＳ１３１１〜１３１３）。
【００７１】
ここでは、第一の実施形態同様、線量計１３０により照射Ｘ線量を算出する場合を例にあげて説明したが、第二の実施形態のように、計測条件から照射Ｘ線量を算出する場合も同様である。
【００７２】
以上、説明したように、本実施形態によれば、被検体の各部位の透視可能時間をリアルタイムに表示するとともに、積算被爆線量を、リアルタイムに平面人体モデル画像上にカラースケール表示を行う。従って、操作者は直感的に透視可能時間を部位毎に正確に把握できるだけでなく、積算被爆線量も、直感的に部位毎に把握できる。
【００７３】
また、上記実施形態では、平面人体モデル画像上には、積算被爆線量をカラースケール表示するよう構成しているが、これに限られない。平面人体モデル画像上の各部位に、透視可能時間を数字で表示するよう構成してもよい。また、積算被爆線量の代わりに、透視可能時間をカラースケール表示するよう構成してもよい。このように構成することにより、２次元的に部位毎の透視可能時間が表示されるため、より直感的な把握が可能となる。また、いずれの情報をカラースケール表示するかを操作者が選択可能なよう構成してもよい。
【００７４】
また、各部位について、許容被爆線量以下の所定の値を予め設定し、積算被爆線量が当該設定値を超えた部位について点滅表示を行うよう構成してもよい。また、カラースケール表示を行う情報を、積算被爆線量そのものではなく、積算被爆線量の、許容被爆線量に対する割合としてもよい。さらに、マッピング画像生成部４８０は、部位毎の積算被爆線量ＳｕｍＥＲ（ｔｎ）が、該当部位の許容被爆線量ＭＰＯに対し、所定の割合（例えば９５％）を越えた場合、該当部位に関し、点滅表示を行うよう構成してもよい。
【００７５】
また、本実施形態においても、被爆線量を同時に表示してもよい。さらに、被爆線量、積算被爆線量、透視可能時間の表示、非表示を選択可能なように構成してもよい。
【００７６】
さらに、カラースケール表示は、人体モデル画像上に必ずしも行わなくても良い。部位名とともに、当該部位の積算被爆線量に割り当てられた色を表示するよう構成してもよい。
【００７７】
＜＜第四の実施形態＞＞
次に、本発明を適用する第四の実施形態を説明する。本実施形態では、Ｘ線透視像１フレーム分の透視画像を取得する毎に、被爆線量および積算被爆線量を算出し、１フレームの画像に対応づけて保持する。
【００７８】
以下、本実施形態のＸ線透視撮影装置１００は、基本的に上記第一の実施形態と同様である。以下、本実施形態について、第一の実施形態と異なる構成に主眼をおいて説明する。
【００７９】
本実施形態では、照射Ｘ線量ＲＤを取得する時間間隔Δｔを、１フレーム分の透視画像を取得する時間間隔とする。そして、１フレーム分の透視画像を取得する毎に、同タイミングで照射Ｘ線量ＲＤを取得し、第一の実施形態または第二の実施形態の手法で部位毎の被爆線量ＥＲ、積算被爆線量ＳｕｍＥＲおよび透視可能時間ＲＴをそれぞれ算出し、取得した透視画像に対応づけて、部位毎に画像記憶部６４０に記憶する。
【００８０】
図１１は、本実施形態の画像記憶部６４０に記憶されるデータを説明するための図である。本図に示すように、本実施形態の画像記憶部６４０には、各フレームの透視画像を取得した時刻６４１と、取得した透視画像６４２と、透視画像毎に部位６４３毎の積算被爆線量６４４および透視可能時間６４５が記憶される。
【００８１】
本実施形態では、部位別積算被爆線量記憶部６２０および部位別透視可能時間記憶部６３０は備えなくてもよい。この場合、積算被爆線量ＳｕｍＥＲの算出時は、画像記憶部６４０の前回取得した画像に対応づけて記憶される当該部位の積算被爆線量６４４をＳｕｍＥＲ（ｔｎ−１）として用いる。また、部位別透視可能時間ＲＴを表示する場合は、画像記憶部６４０に記憶される透視可能時間６４５を用いる。
【００８２】
また、本実施形態においても、上記第一の実施形態および第二の実施形態同様、表示装置１５０に部位毎の透視可能時間ＲＴを表示する際、透視画像、積算被爆線量ＳｕｍＥＲ、被爆線量ＥＲの少なくとも１つを共に表示するよう構成してもよい。また、第三の実施形態同様、マッピング画像生成部４８０を備え、カラースケール表示を行ってもよい。
【００８３】
以上説明したように、本実施形態によれば、患者の部位毎の透視可能時間をリアルタイムで算出して表示する。従って、上記各実施形態同様、操作者が直感的に患者の部位毎の透視可能時間を把握することができる。また、本実施形態によれば、透視画像とともに透視可能時間および積算被爆線量が記録されるため、記録されたデータから透視計測実行時の被爆線量の推移を確認できる。従って、例えば、手術中などに記録しておけば、同様の手技に対して、治療計画の段階で患者の被爆線量を推定する情報を提供できる。
【００８４】
なお、ここでは、第一の実施形態の構成を基礎に本実施形態を説明しているが、これに限られない。本実施形態のＸ線透視撮影装置１００は、第二の実施形態のように、計測条件から照射Ｘ線量を算出するよう構成してもよい。
【００８５】
＜＜第五の実施形態＞＞
次に、本発明を適用する第五の実施形態を説明する。上記各実施形態は、連続したＸ線画像を取得する透視計測を対象としているが、本実施形態は、Ｘ線照射スイッチがＯＮされたタイミングで１枚画像を取得する撮影計測を対象とする。本実施形態では、撮影計測を行う毎に、部位毎の撮影可能枚数を算出し、表示する。
【００８６】
以下、本実施形態について説明する。ここでは、第一の実施形態をベースに、第一の実施形態と異なる構成に主眼をおいて説明する。
【００８７】
本実施形態のＸ線透視撮影装置１００は、基本的に第一の実施形態と同様の構成を備える。また、本実施形態の制御装置１４０−５は、図１２に示すように、基本的に第一の実施形態と同様の構成を備える。ただし、本実施形態では、透視可能時間算出部４６０の代わりに、部位毎の許容被爆線量から撮影可能枚数を算出する撮影可能枚数算出部４９０を備える。また、部位別透視可能時間記憶部６３０の代わりに、部位別撮影可能枚数記憶部６５０を備える。
【００８８】
また、本実施形態の被爆線量算出部４３０は、撮影実行時に線量計１３０が出力する照射Ｘ線量ＲＤから、撮影対象部位の被爆線量ＥＲを算出する。算出は、上記式（１）に従って、ＲＤ（ｔ）の代わりにＲＤを用いて行う。
【００８９】
また、本実施形態の積算被爆線量算出部４４０は、撮影毎の積算被爆線量ＳｕｍＥＲを算出し、部位別積算被爆線量記憶部６２０に記憶する。ｎ回目の撮影の積算被爆線量ＳｕｍＥＲ（ｎ）は、１回前（（ｎ−１）回目）の撮影時の積算被爆線量ＳｕｍＥＲ（ｎ−１）にｎ回目の撮影時の被爆線量ＥＲ（ｎ）を加算することにより行う。本実施形態においても、算出した積算被爆線量ＳｕｍＥＲは、撮影回数に対応づけて部位別積算被爆線量記憶部６２０に記憶してもよいし、最新のもののみ記憶するよう構成してもよい。
【００９０】
なお、１回目の撮影時に、同一被検体の同一計測部位の積算被爆線量が部位別積算被爆線量記憶部６２０に記憶されている場合、それをｎ−１回目の積算被爆線量として用いる。記憶されていない場合は、ｎ−１回目の積算被爆線量は０とする。
【００９１】
本実施形態の撮影可能枚数算出部４９０は、部位別許容被爆線量記憶部６１０に記憶される撮影対象部位の許容被爆線量ＭＰＯと、被爆線量算出部４３０が算出した被爆線量ＥＲと、積算被爆線量算出部４４０が算出した積算被爆線量ＳｕｍＥＲとから、撮影可能な枚数ＮＭを算出する。ｎ回目の撮影後の撮影可能枚数ＮＭ（ｎ）は、ｎ回目の撮影時の被爆線量ＥＲ（ｎ）および積算被爆線量ＳｕｍＥＲ（ｎ）を用いて、以下の式（４）に従って算出される。
ＮＭ（ｎ）＝[（ＭＰＯ−ＳｕｍＥＲ（ｎ））／ＥＲ（ｎ）]      （４）
なお、［ＡＡ］は、ＡＡを超えない最大の整数を返す演算子とする。また、この撮影可能枚数は、ｎ回目の撮影条件と同じ撮影条件で撮影を行うことを前提としたものである。
【００９２】
算出した撮影可能枚数ＮＭ（ｎ）は、撮影部位に対応づけて、部位別撮影可能枚数記憶部６５０に記憶される。このとき、撮影回数ｎに対応づけて記憶してもよいし、最新の撮影可能枚数ＮＭのみ記憶するよう構成してもよい。
【００９３】
撮影可能枚数算出部４９０は、他の機能同様、制御装置１４０−５において、記憶装置に保持されるプログラムをＣＰＵが実行することにより実現される。また、部位別撮影可能枚数記憶部６５０は、制御装置１４０−５が備える記憶装置に構成される。
【００９４】
次に、本実施形態のＸ線透視撮影装置１００を用いた検査時における、撮影可能枚数算出処理の手順を以下に説明する。ここでは、１回の検査で1以上の部位の撮影画像を取得する場合を例にあげて説明する。図１３は、本実施形態の撮影可能枚数算出処理の処理フローである。以下の処理は、操作者が入力装置１６０を介してＸ線透視撮影装置１００を起動させたことを契機に開始する。
【００９５】
動作制御部４１０は、表示装置１５０に操作画面を表示し、この操作画面を介して、被検体を特定する情報（患者情報）および計測部位の入力を受け付ける（ステップＳ１４０１）。そして、動作制御部４１０は、受け付けた患者情報、計測部位に従って、撮影可能枚数算出に必要な各種の情報を読み出す（ステップＳ１４０２）。ここでは、予め保持する放射線荷重係数ＷＲと、計測部位に対応する組織荷重係数ＷＴと、計測部位の許容被爆線量ＭＰＯである。許容被爆線量ＭＰＯは、部位別許容被爆線量記憶部６１０から読み出す。さらに、部位別積算被爆線量記憶部６２０から、当該患者の当該計測部位に対応づけて保持される積算被爆線量があれば、読み出し、積算被爆線量の初期値とする。
【００９６】
Ｘ線照射の指示を受け付けると（ステップＳ１４０３）、動作制御部４１０は、撮影時の線量計１３０の出力である照射線量ＲＤを取得する(ステップＳ１４０４）。
【００９７】
次に、動作制御部４１０は、被爆線量算出部４３０に、照射線量ＲＤと、放射線荷重係数ＷＲと組織荷重係数ＷＴとを用い、撮影時の被爆線量ＥＲを算出させる（ステップＳ１４０５）。
【００９８】
次に、動作制御部４１０は、積算被爆線量算出部４４０に積算被爆線量ＳｕｍＥＲを算出させ、部位別積算被爆線量記憶部６２０を更新させる（ステップＳ１４０６）。ここでは、積算被爆線量算出部４４０は、当該計測対象部位に対応づけて当該被検体の部位別積算被爆線量記憶部６２０に記憶される最新の積算被爆線量ＳｕｍＥＲと、ステップＳ１４０５で算出した被爆線量ＥＲとを用い、当該撮影時の積算被爆線量ＳｕｍＥＲを算出する。
【００９９】
そして、動作制御部４１０は、撮影可能枚数算出部４９０に、当該撮影時の撮影可能枚数ＭＮを算出させ、部位別撮影可能枚数記憶部６５０を更新させる（ステップＳ１４０７）。
【０１００】
そして、動作制御部４１０は、部位別撮影可能枚数記憶部６５０から計測対象患者の各部位の最新の撮影可能枚数ＮＭを読み出し、当該撮影終了時における部位毎の撮影可能枚数ＮＭとして表示処理部４６０に部位に対応付けて表示装置に表示させる（ステップＳ１４０８）。なお、ここでは、設定に応じて、各部位の、被爆線量ＥＲ、積算被爆線量ＳｕｍＥＲをあわせて表示するよう構成してもよい。
【０１０１】
動作制御部４１０は、操作画面を介して、計測部位の変更の指示の有無を判別し（ステップＳ１４０９）、変更の入力がある場合は、ステップＳ１４０２へ移行する。一方、変更の指示がない場合は、検査終了の指示があるか否かを判別し（ステップＳ１４１０）、指示があれば、処理を終了する。一方、指示がない場合は、ステップＳ１４０３へ移行する。
【０１０２】
なお、動作制御部４１０は、上記撮影可能枚数算出処理とは独立に、上記ステップＳ１４０３において、Ｘ線照射の指示を受け付けると、Ｘ線検出器１２０が検出したＸ線信号から画像処理部４２０に撮影画像を生成させ、表示装置１５０に表示させる。
【０１０３】
以上説明したように、本実施形態によれば、撮影計測を行う場合、撮影が行われる毎に、撮影対象被検体の最新の撮影可能枚数を部位毎に表示する。従って、操作者は、直感的に部位毎の最新の撮影可能枚数を知ることができる。従って、被検体の過剰被爆を適確に防止することができる。
【０１０４】
なお、本実施形態においても、マッピング画像生成部４８０を備え、積算被爆線量と撮影可能枚数の少なくとも一方を人体モデル画像上にカラースケール表示するよう構成してもよい。また、部位毎の撮影可能枚数を、撮影により取得したＸ線画像とともに表示するよう構成してもよい。
【０１０５】
また、第二の実施形態同様、照射Ｘ線量算出部４７０を備え、照射Ｘ線量を計算により求めるよう構成してもよい。この場合、第二の実施形態同様、線量計１３０は備えなくてもよい。
【０１０６】
また、撮影を行う毎に、算出した被爆線量、積算被爆線量および撮影可能枚数を、撮影により得られたＸ線画像に対応づけて記憶するよう構成してもよい。
【符号の説明】
【０１０７】
１００：Ｘ線透視撮影装置、１１０：Ｘ線源、１２０：Ｘ線検出器、１３０：線量計、１４０：制御部、１５０：表示装置、１６０：入力装置、４１０：動作制御部、４２０：画像処理部、４３０：被爆線量算出部、４４０：積算被爆線量算出部、４５０：透視可能時間算出部、４６０：表示処理部、４７０：照射Ｘ線量算出部、４８０：マッピング画像生成部、４９０：撮影可能枚数算出部、５００：表示画面、５１０：Ｘ線透視画像表示領域、５２０：設定情報表示領域、５３０：カラースケール表示領域、５４０：透視可能時間表示領域、６１０：部位別許容被爆線量記憶部、６２０：部位別積算被爆線量記憶部、６３０：部位別透視可能時間記憶部、６４０：画像記憶部、６５０：部位別撮影可能枚数記憶部、７１０：人体モデル画像
【図１】
2011234928.tif 000003
【図２】
2011234928.tif 000004
【図３】
2011234928.tif 000005
【図４】
2011234928.tif 000006
【図５】
2011234928.tif 000007
【図６】
2011234928.tif 000008
【図７】
2011234928.tif 000009
【図８】
2011234928.tif 000010
【図９】
2011234928.tif 000011
【図１０】
2011234928.tif 000012
【図１１】
2011234928.tif 000013
【図１２】
2011234928.tif 000014
【図１３】
2011234928.tif 000015